(57)【特許請求の範囲】
【請求項１】
ケースと該ケースの開口を覆うカバーとを含んで構成される筐体に電線引出部分を複数設け、
該電線引出部分には、
電線を挿通するコルゲートチューブを固定するためのコルゲートチューブ固定部と、
前記電線の引き出しを行わない場合に前記電線引出部分を塞ぐ防水栓を固定するための防水栓固定部と、
を形成し、
前記コルゲートチューブ固定部は、
前記ケースの内側に配置され前記コルゲートチューブの蛇腹凹部に係合可能な切り欠き部が形成される第一のリブと、
該第一のリブと所定の間隔をあけて対向し前記ケースの外側に配置され前記コルゲートチューブの蛇腹凹部に係合可能な切り欠き部が形成される第二のリブと、
を含み、
前記防水栓固定部は、
前記第一のリブと前記第二のリブとの間に配置形成され、
さらに、前記防水栓固定部の形成に伴って前記電線引出部分の位置の前記ケースの底壁であって且つ前記第一のリブと前記第二のリブとの間には、水抜き穴を形成する
ことを特徴とする筐体防水構造。
【請求項２】
請求項１に記載の筐体防水構造において、
前記底壁には、前記防水栓に対する誤組み付け防止の部分としての誤組み付け防止部を形成する
ことを特徴とする筐体防水構造。
【発明の詳細な説明】
【技術分野】
【０００１】
本発明は、ケースとカバーとを含んで構成され、且つ、電線引出部分を複数有する筐体の防水構造に関する。
【背景技術】
【０００２】
電気部品などを筐体内部に収容してなる電気接続箱は、例えば下記特許文献１に開示される。電気接続箱は電線引出部分を有し、この電線引出部分を介して電線が引き出される。電線引出部分は、柔軟性をもって電線を引き出せるような構造が好ましく、下記特許文献１ではゴム製のグロメットが採用される。尚、グロメットは電線を挿通した状態で防水性に優れるが、このようなグロメットに限らず、蛇腹形状の管体に形成されたコルゲートチューブが採用されることもある。
【０００３】
下記特許文献１では電線引出部分が一つであるが、必要に応じて複数設けられることもある。
【先行技術文献】
【特許文献】
【０００４】
【特許文献１】特開２００７−２８８９０８号公報
【発明の概要】
【発明が解決しようとする課題】
【０００５】
電線引出部分が複数設けられ、そのうちの一つが仮に使用されない場合には、使用されない電線引出部分が開口したままの状態になってしまう。従って、防水性を確保することができないという問題点を有する。
【０００６】
本発明は、上記した事情に鑑みてなされたもので、複数設けられた電線引出部分のうち仮に使用されない電線引出部分があっても防水性を確保することが可能な筐体防水構造を提供することを課題とする。
【課題を解決するための手段】
【０００７】
上記課題を解決するためになされた請求項１に記載の本発明の筐体防水構造は、ケースと該ケースの開口を覆うカバーとを含んで構成される筐体に電線引出部分を複数設け、
該電線引出部分には、
電線を挿通するコルゲートチューブを固定するためのコルゲートチューブ固定部と、
前記電線の引き出しを行わない場合に前記電線引出部分を塞ぐ防水栓を固定するための防水栓固定部と、
を形成し、
前記コルゲートチューブ固定部は、
前記ケースの内側に配置され前記コルゲートチューブの蛇腹凹部に係合可能な切り欠き部が形成される第一のリブと、
該第一のリブと所定の間隔をあけて対向し前記ケースの外側に配置され前記コルゲートチューブの蛇腹凹部に係合可能な切り欠き部が形成される第二のリブと、
を含み、
前記防水栓固定部は、
前記第一のリブと前記第二のリブとの間に配置形成され、
さらに、前記防水栓固定部の形成に伴って前記電線引出部分の位置の前記ケースの底壁であって且つ前記第一のリブと前記第二のリブとの間には、水抜き穴を形成することを特徴とする。
【０００８】
請求項２に記載の本発明は、請求項１に記載の筐体防水構造において、前記底壁には、前記防水栓に対する誤組み付け防止の部分としての誤組み付け防止部を形成することを特徴とする。
【発明の効果】
【０００９】
請求項１に記載された本発明によれば、筐体の電線引出部分にコルゲートチューブ固定部と防水栓固定部とを形成することから、複数の電線引出部分のうち仮に使用されない電線引出部分があっても、この使用されない電線引出部分を防水栓で塞ぐことにより、防水性を確保することができるという効果を奏する。また、本発明によれば、電線引出部分を防水栓で塞ぐだけでなく水抜き穴で水分を溜めないようにもすることから、防水性を高めることができるという効果も奏する。
【００１０】
請求項２に記載された本発明によれば、筐体のケースの底壁に誤組み付け防止部を形成することから、防水栓を例えば違った向きで塞ごうとしても作業者に気づかせることができるという効果を奏する。
【図面の簡単な説明】
【００１１】
【図１】本発明の筐体防水構造を採用してなるターミナルブロックの斜視図であり、（ａ）は電線引出部分を全て使用した状態の図、（ｂ）は電線引出部分の一つを使用せず防水栓で塞いだ状態の図である。
【図２】図１のケースの斜視図である。
【図３】図２のケースの図であり、（ａ）はＡ視の図、（ｂ）は（ａ）の要部拡大図である。
【図４】図２の防水栓固定部の断面図である。
【図５】図１の防水栓の図であり、（ａ）は斜視図、（ｂ）は正面図、（ｃ）は側面図である。
【図６】防水栓固定部に防水栓を組み付けた状態の斜視図である。
【図７】防水栓固定部に防水栓を組み付けた状態の図であり、（ａ）は防水栓の外形が分かる断面図、（ｂ）は防水栓の背面形状が分かる断面図である。
【発明を実施するための形態】
【００１２】
筐体側の構造として、電線引出部分にコルゲートチューブ固定部と防水栓固定部とを形成する。複数設けられた電線引出部分のうち仮に使用されない電線引出部分があっても、この電線引出部分を防水栓で塞いでしまえば防水性を確保することができる。また、水抜き穴を更に形成すれば、水分を溜めないようにすることもできる。
【実施例】
【００１３】
以下、図面を参照しながら実施例を説明する。図１は本発明の筐体防水構造を採用してなるターミナルブロックの斜視図であり、（ａ）は電線引出部分を全て使用した状態の図、（ｂ）は電線引出部分の一つを使用せず防水栓で塞いだ状態の図である。また、図２は図１のケースの斜視図である。また、図３は図２のケースの図であり、（ａ）はＡ視の図、（ｂ）は（ａ）の要部拡大図である。また、図４は図２の防水栓固定部の断面図である。
【００１４】
図５は図１の防水栓の図であり、（ａ）は斜視図、（ｂ）は正面図、（ｃ）は側面図である。また、図６は防水栓固定部に防水栓を組み付けた状態の斜視図である。また、図７は防水栓固定部に防水栓を組み付けた状態の図であり、（ａ）は防水栓の外形が分かる断面図、（ｂ）は防水栓の背面形状が分かる断面図である。
【００１５】
図１において、引用符号１は発明の筐体防水構造２を採用してなるターミナルブロックを示す。ターミナルブロック１は、例えば自動車等の車両に搭載されて、この内部で電気的な接続を行うことができるように構成される。具体的には、筐体３と、この筐体３の一対の電線引出部分４に固定される樹脂製のコルゲートチューブ５と、筐体３の内部に設けられる図示しない電気的な部分と、コルゲートチューブ５に挿通されて筐体３の内部で電気的に接続される図示しない電線とを備えて構成される。
【００１６】
上記図示しない電気的な部分は、コネクタやヒューズ、ジョイントコネクタ、端子台等である。筐体防水構造２は、筐体３側の構造と、電線引出部分４を使用しない場合に用いられる防水栓５１とを含んで構成される。先ず、上記構成について説明をする。
【００１７】
筐体３は、樹脂製のケース７と、同じく樹脂製のカバー８とを備えて構成される。一方、コルゲートチューブ５も樹脂製である。コルゲートチューブ５は、断面円形状の公知のものが採用される。コルゲートチューブ５は、柔軟性を有する管体であって、蛇腹形状に形成される。具体的には、周方向の凹みになる蛇腹凹部９と、この蛇腹凹部９よりも径が大きく且つ周方向の凸になる蛇腹凸部１０とを有するとともに、これら蛇腹凹部９と蛇腹凸部１０とがコルゲートチューブ５の延在方向に交互に連続するような形状の管体に形成される。別な言い方をすれば、谷部と山部とが連続するような形状の管体に形成される。
【００１８】
図１ないし図４において、ケース７は、本実施例において、短手方向の辺に比べて長手方向の辺が格段に長く形成されるような長方形の底壁１１と、この底壁１１における上記長手方向の辺の位置に連成される一対の長手側壁１２と、底壁１１における上記短手方向の辺に連成される一対の短手側壁１３と、底壁１１の上方に位置する開口１４と、内部空間１５とを有して図示形状に形成される。ケース７は、筐体３における電線引出部分４に短手側壁１３が位置するような形状に形成される。
【００１９】
底壁１１は、ターミナルブロック１の重力方向一番下に配置される部分として形成される。底壁１１は、この内外面とも平坦な面を有し、端部１６にのみ後述する水抜き穴４５が複数貫通形成される。一対の長手側壁１２の外面には、カバー８に対するケース側ロック部１７が複数形成される。また、一対のうちの一方の長手側壁１２の外面には、図示しないブラケットに対する車両固定部１８も形成される。
【００２０】
引用符号１９は、コルゲートチューブ固定部を示す。コルゲートチューブ固定部１９は、ケース７側でコルゲートチューブ５を固定するための部分であって、底壁１１の内面と、長手側壁１２の内面と、短手側壁１３とに跨るように配置形成される。具体的には、ケース側リブ２０、２１で構成される二つの固定用のリブが該当する。ケース側リブ２０、２１は、所定の間隔をあけて配置形成される。
【００２１】
ケース側リブ２０は、内側に配置される固定用のリブであって、例えば底壁１１の内面及び長手側壁１２の内面に連成される壁を、開口１４の側からＵ字状に切り欠いたような形状に形成される。Ｕ字状の底部分は、コルゲートチューブ５の蛇腹凹部９の径に合わせた半円形の円弧部分に形成される。円弧部分は、蛇腹凹部９に差し込まれて係合する部分として形成される。一方、開口１４からのストレートな部分は、コルゲートチューブ５を円弧部分まで案内する部分として形成される。このストレートな案内の部分も蛇腹凹部９に差し込まれる。
【００２２】
ケース側リブ２０は、上記Ｕ字状に切り欠いた部分がコルゲートチューブ５に対する案内・固定機能部分２２として形成される。また、この案内・固定機能部分２２以外は、底壁１１の内面及び長手側壁１２の内面に連続する壁機能部分２３として形成される。
【００２３】
一方、ケース側リブ２１は、外側に配置される固定用のリブであって、短手側壁１３を開口１４からＵ字状に切り欠いたような形状、すなわちケース側リブ２０と同じ形状に形成される。ケース側リブ２１のＵ字状の底部分は、コルゲートチューブ５の蛇腹凹部９の径に合わせた半円形の円弧部分に形成される。円弧部分は、蛇腹凹部９に差し込まれて係合する部分として形成される。一方、開口１４からのストレートな部分は、コルゲートチューブ５を円弧部分まで案内する部分として形成される。このストレートな案内の部分も蛇腹凹部９に差し込まれる。
【００２４】
ケース側リブ２１も上記Ｕ字状に切り欠いた部分がコルゲートチューブ５に対する案内・固定機能部分２４として形成される。また、案内・固定機能部分２４以外は、短手側壁１３の本来の機能を発揮する、壁機能部分２５として形成される。
【００２５】
引用符号４１は、防水栓固定部を示す。防水栓固定部４１は、防水栓５１を固定するための部分であって、ケース側リブ２０、２１の間に配置形成される。防水栓固定部４１は、長手側壁１２の内面又はこの近傍に配置形成される一対の係止部４２と、防水栓収容空間４３と、誤組み付け防止部４４とを含んで構成される。また、防水栓固定部４１は、一対の水抜き穴４５も含んで構成される。
【００２６】
一対の係止部４２は、防水栓５１を着脱自在に係止することができる部分として形成される。尚、一対の係止部４２は、長手側壁１２の内面から突出させたり、ケース側リブ２０、２１を橋渡しするようにしたりして形成される。本実施例では、後者を採用する。誤組み付け防止部４４は、底壁１１の内面から開口１４に向けて短く突出するような突起部分として形成される。誤組み付け防止部４４は、防水栓５１の向きを例えば違えた状態で塞ごうとした場合に、作業者に気づかせることができるような部分として形成される。誤組み付け防止部４４は、底壁１１の中心から若干ずれた位置に配置形成される。
【００２７】
一対の水抜き穴４５は、防水栓５１と底壁１１との間に水分が溜まらないようにするための部分として形成される。一対の水抜き穴４５は、一対の係止部４２を型抜きする際に生じる穴が利用される。一対の水抜き穴４５は、一対の係止部４２の形成に伴って生じる部分であり、底壁１１を貫通するように形成される。
【００２８】
図１に戻り、カバー８は、ケース７の開口１４を覆うカバー本体２６と、カバー側のコルゲートチューブ固定部２７とを有して図示形状に形成される。カバー７は、筐体３における電線引出部分４にコルゲートチューブ固定部２７が位置するように形成される。カバー本体２６には、ケース７のケース側ロック部１７に対するカバー側ロック部２８が複数形成される。
【００２９】
コルゲートチューブ固定部２７は、カバー８側でコルゲートチューブ５を固定するための部分であって、壁状のリブになるように形成される。具体的には、ケース７の短手側壁１３の外側に位置する壁を、この壁先端で半円形の円弧部分に切り欠いたような形状に形成される。上記円弧部分は、コルゲートチューブ５の蛇腹凹部９の径に合わせて形成される。円弧部分は、蛇腹凹部９に差し込まれて係合する部分として形成される。コルゲートチューブ固定部２７は、円弧部分がコルゲートチューブ５に対する固定機能部分として形成される。また、この固定機能部分以外は、壁機能部分として形成される。
【００３０】
図１及び図５において、防水栓５１は、ケース７の防水栓固定部４１に挿入されて電線引出部分４を塞ぐような部材として形成される。本実施例においては、樹脂成形により形成される（樹脂に限らず例えばゴム製であってもよい）。防水栓５１は、一対の係止凸部５２と、リブ係合部５３と、誤組み付け防止部５４とを有して図示形状に形成される。
【００３１】
一対の係止凸部５２は、ケース７の防水栓固定部４１における一対の係止部４２に対して着脱自在に係止される部分であって、本実施例においては断面略正三角形状に形成される。リブ係合部５３は、Ｕ字状の突出部分であって、ケース７のコルゲートチューブ固定部１９における外側のケース側リブ２１に係合し、このケース側リブ２１の開口を塞ぐ部分として形成される。誤組み付け防止部５４は、凹部５５及び凸部５６による段差形状に形成される。防水栓５１の誤組み付けがなされた場合は、凸部５６がケース７の誤組み付け防止部４４に当接し、正規の組み付けがなされた場合は、凸部５６がケース７の底壁１１の内面に当接するとともに、凹部５５がケース７の誤組み付け防止部４４に当接する。
【００３２】
尚、防水栓５１は、樹脂成形後の形状安定化を図るため（ヒケを防止するため）、肉厚が一定になるような形状に形成される（図７（ｂ）参照。引用符号５７は肉盗み部分を示す）。
【００３３】
次に、上記構成及び構造に基づきながら発明の筐体防水構造２について説明をする。
【００３４】
図２において、図示しない電線を挿通した状態のコルゲートチューブ５をケース７のコルゲートチューブ固定部１９に組み付ける。この時、コルゲートチューブ５は、蛇腹凹部９がケース側リブ２０、２１に案内されて固定される。尚、図２ではコルゲートチューブ５が一つのみ組み付けられてコルゲートチューブ固定部１９が一つあいてしまう。すなわち、電線引出部分４が使用されない場合である。
【００３５】
電線引出部分４が使用されない場合は、コルゲートチューブ固定部１９におけるケース側リブ２０、２１の間の防水栓固定部４１に防水栓５１を挿入して図６及び図７に示す如くの組み付け状態にする。
【００３６】
図１（ｂ）において、コルゲートチューブ５をケース７に組み付け、更には防水栓５１を防水栓固定部４１に組み付けた後は、開口１４を覆うようにしてカバー８をケース７に組み付ける。この時、コルゲートチューブ５は、蛇腹凹部９がカバー８の一方のコルゲートチューブ固定部２７によって固定される。また、防水栓５１も他方のコルゲートチューブ固定部２７によって固定される。これら固定が終わると、一連の組み付けが完了する。
【００３７】
以上、図１ないし図７を参照しながら説明してきたように、本発明によれば、筐体３の構造として電線引出部分４にコルゲートチューブ固定部１９、２７と防水栓固定部４１とを形成することから、複数の電線引出部分４のうち仮に使用されない電線引出部分４があっても、この使用されない電線引出部分４を防水栓５１で塞ぐことにより、防水性を確保することができるという効果を奏する。
【００３８】
また、本発明によれば、電線引出部分４を防水栓５１で塞ぐだけでなく水抜き穴４５で水分を溜めないようにもすることから、防水性を高めることができるという効果も奏する。
【００３９】
本発明は本発明の主旨を変えない範囲で種々変更実施可能なことは勿論である。例えばターミナルブロック１に限らず、広義の電気接続箱としてもよい。
【符号の説明】
【００４０】
１…ターミナルブロック、  ２…筐体防水構造、  ３…筐体、  ４…電線引出部分、  ５…コルゲートチューブ、  ７…ケース、  ８…カバー、  ９…蛇腹凹部、  １０…蛇腹凸部、  １１…底壁、  １２…長手側壁、  １３…短手側壁、  １４…開口、  １５…内部空間、  １６…端部、  １７…ケース側ロック部、  １８…車両固定部、  １９…コルゲートチューブ固定部、  ２０、２１…ケース側リブ、  ２２、２４…案内・固定機能部分、  ２３、２５…壁機能部分、  ２６…カバー本体、  ２７…コルゲートチューブ固定部、  ２８…カバー側ロック部、  ４１…防水栓固定部、  ４２…係止部、  ４３…防水栓収容空間、  ４４…誤組み付け防止部、  ４５…水抜き穴、  ５１…防水栓、  ５２…係止凸部、  ５３…リブ係合部、  ５４…誤組み付け防止部、  ５５…凹部、  ５６…凸部、  ５７…肉盗み部分
【図１】
0006448237.tif 000002
【図２】
0006448237.tif 000003
【図３】
0006448237.tif 000004
【図４】
0006448237.tif 000005
【図５】
0006448237.tif 000006
【図６】
0006448237.tif 000007
【図７】
0006448237.tif 000008